(57)【特許請求の範囲】
【請求項１】
開度を調整することで空気量の制御が可能な調整弁（２４）が配設された吸入口（２１）から取り込まれた空気を、永久磁石又は電磁石で構成され磁力線を発生させる磁気部（２２）で挟まれた空気管（２５）内を通過させて磁気化して排出する磁力ボックス（２０）と、
磁気化した空気で有機物を低酸素状態で低温分解する処理室（３０）と、
排気ガスを処理するスクラバ（５０）と、
を有する、分解装置本体（１０）であって、
前記スクラバが、当該スクラバ内の臭い及び煙粒子を検知する第１の検知部（５５）を有し、
前記処理室が、当該処理室内の温度を検知する第２の検知部（４１）を有する、分解装置本体（１０）と、
前記第１の検知部から取得した第１のデータ及び前記第２の検知部から取得した第２のデータに基いて前記処理室の所定時間後の反応を予測する予測部（８４）を有する操作部（７０）と、
を備え、
前記処理室は、室内の温度を１８０℃〜２５０℃に保ち、１０％以下の酸素濃度で有機物を分解処理し、
前記処理室は、有機物に圧力を加えるプッシャ（３５）を更に有し、
前記予測部は、取得された前記第１のデータ及び前記第２のデータとそれらの時間的変化に基いて、所定時間後の煙量を統計学的手法により予測する、磁流式低温分解装置（１）。
【請求項２】
請求項１に記載の磁流式低温分解装置において、
前記操作部は、前記第１のデータ及び前記第２のデータを組み合わせから構成される時系列データを統計学的手法の説明変数として記憶する記憶部（８７）を更に有し、
前記予測部は、前記スクラバ内の煙粒子量が前記所定時間後に所定の値に到達することを統計学的手法により予測する、磁流式低温分解装置。
【請求項３】
請求項２に記載の磁流式低温分解装置において、
前記操作部は、前記スクラバ内の煙粒子量が前記所定の値を将来超えないように前記処理室の反応を制御する制御部（８３）を更に有する、磁流式低温分解装置。
【請求項４】
請求項３に記載の磁流式低温分解装置において、
前記制御部は、前記予測部の予測結果に基いて、前記磁力ボックスへの空気の投入量、前記処理室への磁気化した空気の投入量、当該処理室への有機物の投入量、及び、前記スクラバ内への噴霧量のうち少なくともいずれか一つを制御する、磁流式低温分解装置。
【請求項５】
請求項３又は４に記載の磁流式低温分解装置において、
前記記憶部は、有機物の種類と量、有機物の含水量、及び、外部の気温と湿度のうち少なくともいずれか一つを含む追加データとを記憶し、
前記予測部は、統計学的手法の説明変数に前記追加データを含めて予測する、磁流式低温分解装置。
【請求項６】
請求項３乃至５のいずれか一項に記載の磁流式低温分解装置において、
前記統計学的手法は、回帰分析、多変量解析、又は、教師あり学習モデルである、磁流式低温分解装置。
【請求項７】
請求項５、又は、請求項５に従属する請求項６に記載の磁流式低温分解装置において、
前記操作部は、通信回線（２００）を介して接続されたクラウドサーバ（３００）との間でデータの送受信をするルータ（１９０）を更に有し、
前記時系列データと前記追加データは、前記ルータを介して前記クラウドサーバのサーバ記憶部に送信され記憶され、
前記操作部は、前記クラウドサーバに接続された他の磁流式低温分解装置と共有される時系列データと追加データとに基いて、当該クラウドサーバの予測構築部（３２０）により計算された統計学的手法の説明変数を前記ルータを介して受信し、
前記予測部は、前記説明変数に基いて予測し、
前記制御部は、前記予測部の予測結果に基いて制御する、磁流式低温分解装置。
【請求項８】
請求項３乃至７のいずれか一項に記載の磁流式低温分解装置において、
前記制御部は、前記処理室が有機物を低酸素状態で低温分解するように当該処理室に投入される有機物の量を制御する、磁流式低温分解装置。
【請求項９】
請求項１乃至８のいずれか一項に記載の磁流式低温分解装置において、
前記第１の検知部は、
緑色光または緑色光よりも短い波長の光を発光する発光部（６１）と、
前記発光部が発光した光が煙粒子によって反射した散乱光を直接受光する受光部（６３）と、
を有する、磁流式低温分解装置。
【請求項１０】
請求項１乃至９のいずれか一項に記載の磁流式低温分解装置において、
投入された廃棄物中の有機物を低温分解して無機物を排出する、磁流式低温分解装置。
【請求項１１】
開度を調整することで空気量の制御が可能な調整弁（２４）が配設された吸入口（２１）から取り込まれた空気を、永久磁石又は電磁石で構成され磁力線を発生させる磁気部（２２）で挟まれた空気管（２５）内を通過させて磁気化して排出する磁力ボックス（２０）と、磁気化した空気で有機物を低酸素状態で低温分解する処理室（３０）と、排気ガスを処理するスクラバ（５０）と、を有する、分解装置本体（１０）であって、
当該スクラバが当該スクラバ内の臭い及び煙粒子を検知する第１の検知部（５５）を有し、
当該処理室が当該処理室の温度を検知する第２の検知部（４１）を有し、
前記処理室が、室内の温度を１８０℃〜２５０℃に保ち、１０％以下の酸素濃度で有機物を分解処理し、
前記処理室が、有機物に圧力を加えるプッシャ（３５）を更に有する、
分解装置本体（１０）を操作する方法において、
前記第１の検知部から取得した第１のデータを記憶する工程と、
前記第２の検知部から取得した第２のデータを記憶する工程と、
前記第１のデータ及び前記第２のデータに基いて前記処理室の所定時間後の反応を予測する工程と、
前記第１のデータ及び前記第２のデータを組み合わせて時系列データを作成して統計学的手法の説明変数として記憶する工程と、
有機物の種類と量、有機物の含水量、及び、外部の気温と湿度のうち少なくともいずれか一つを含む追加データを記憶する工程と、
前記追加データを前記説明変数に含める工程と、
前記説明変数に基いて、前記スクラバ内の煙粒子量が前記所定時間後に所定の値に到達することを統計学的手法により予測する工程と、
予測結果に基いて、
前記磁力ボックスへの空気の投入量、前記処理室への磁気化した空気の投入量、当該処理室への有機物の投入量、及び、前記スクラバ内への噴霧量のうち少なくともいずれか一つを制御することで、
前記スクラバ内の煙粒子量が前記所定の値を将来超えないように前記処理室の反応を制御する工程と、
を備え、
前記処理室の反応を制御する工程は、前記処理室が有機物を低酸素状態で低温分解するように当該処理室に投入される有機物の量を制御し、
前記処理室の反応を制御する工程は、有機物に圧力が加えて有機物間の空気を排除して当該処理室の反応を制御し、
前記処理室の所定時間後の反応を予測する工程は、取得された前記第１のデータ及び前記第２のデータとそれらの時間的変化に基いて、所定時間後の煙量を統計学的手法により予測する、分解装置本体を操作する方法。
【請求項１２】
請求項１１に記載の方法において、
前記時系列データと前記追加データを、通信回線を介して接続されたクラウドサーバに送信する工程と、
前記クラウドサーバに接続された他の磁流式低温分解装置と共有される時系列データと追加データとに基いて、当該クラウドサーバにより計算された統計学的手法の説明変数を受信する工程と、
受信した前記説明変数に基いて予測する工程と、
前記処理室の所定時間後の反応を予測する工程における予測結果に基いて前記処理室の反応を制御する工程と、
を更に備える、方法。
【発明の詳細な説明】
【技術分野】
【０００１】
本発明は、磁流式低温分解装置に関する。
【背景技術】
【０００２】
４００℃を超える高温で有機物を焼却した場合、排煙中にダイオキシンやその前駆体が含まれ、３００℃〜４００℃の間でダイオキシンが再合成されるという問題があった。
【０００３】
処理速度を向上して長期間の運転を可能とすることを目的として、塩化ビニール樹脂からなる複数の円形断面短管が螺合接続されてなり、第一中心軸線を有して空気が流通する管部と、第二中心軸線を有して円管状に形成され、磁化方向が、第一中心軸線及び第二中心軸線と略同一となるように配された磁石部と、を備えている流体発磁機に関する公報開示の技術が存在する（特許文献１）。
【０００４】
また、磁流式低温分解装置に関連して、石油や電力等の燃料を要することなく磁気のみによって熱分解作用を促し、ダイオキシンの発生を抑制しつつ低ランニングコストで廃棄物の分解処理を行うことを目的する公報開示の発磁機及び磁気処理装置の技術が存在する（特許文献２）。発磁機が、空気等の流体が流通可能な流通路と、流通路を上下から挟むように配設される一対の磁石部と、これらの流通路及び磁石部を保持する円筒状の枠体とから構成され、流通路を構成する側面のうち対向する二面が、磁性を有する鋼材で形成された磁性部となっており、これら磁性部の各々には流通路の内外に連通する円形の開口部がそれぞれ設けられ、これらの各開口部を塞ぐように流通路の外方から一対の磁石部が配設され、この磁石部は永久磁石で、Ｎ極とＳ極というように引き合うように異なる磁極が対向された、発磁機及び磁気処理装置に関する。
【０００５】
更に、廃棄物を低温熱処理して灰を生成することを目的として、熱処理炉の下部で発生させた２５０℃〜４００℃の酸素を制限した活性熱気体を熱処理炉に収容した各種廃棄物の下部から継続して吹き込み、廃棄物を低温燃焼させて悉く灰にする廃棄物の低温熱処理方法及び装置に関する公報開示の技術が存在する（特許文献３）。
【先行技術文献】
【特許文献】
【０００６】
【特許文献１】特開２００９−１１３００８号公報
【特許文献２】特開２００７−２０９８４３号公報
【特許文献３】特開２００８−１９０７３３号公報
【発明の概要】
【発明が解決しようとする課題】
【０００７】
ところで、磁流式低温分解装置は、磁気作用を利用して空気を磁気化し、有機物を燃焼させることなく低温で分解してセラミックス灰にする装置である。焼却炉ではないため、有機物の処理に化石燃料がかからず、ダイオキシン等の排出も抑制され、地球環境の保護にも適した分解装置として注目された。しかし、炉内の反応速度の変化によっては、ダイオキシンやその他の有害物や臭いを含んだ排煙を放出する恐れがあった。より精密な運転をするために高度に習熟した運転者が勘と経験により状況を判断しながら給気弁等を手動で操作する必要があり、人手の確保を要するという課題があった。
【０００８】
また、磁流式分解装置の排煙を浄煙手段による散水中を通過させて排煙を低減させると共に、熱処理装置に温度センサを設置して検知した温度の基いて給気管の開度を制御することで温度の上昇を抑える場合、処理装置内の温度は２５０℃〜４００℃に制限され、ダイオキシンの抑制が充分でなかった。また、温度センサにより所定温度を上回る場合に制御を実施するものであり、所定温度を超えてから処理装置内の温度が下がるまでの期間はダイオキシンの抑制が充分でないという制御上の課題があった。更に、温度による運転制御と分解処理速度とは二律背反の関係にあり、前記所定温度を低く抑えると、分解処理速度が遅くなり、結果として有機物分解量が低下する恐れがあった。
【０００９】
本発明は、ダイオキシンや煙の発生を抑えつつ、処理効率の高い磁流式低温分解装置を提供することを目的とする。
【課題を解決するための手段】
【００１０】
上記課題を解決するために、磁流式低温分解装置（１）は、
空気を磁気化する磁力ボックス（２０）と、
磁気化した空気で有機物を低酸素状態で低温分解する処理室（３０）と、
排気ガスを処理するスクラバ（５０）と、
を有する、分解装置本体（１０）であって、
前記スクラバが、当該スクラバ内の臭い及び煙粒子を検知する第１の検知部（５５）を有し、
前記処理室が、当該処理室内の温度を検知する第２の検知部（４１）を有する、分解装置本体（１０）と、
前記第１の検知部から取得した第１のデータ及び前記第２の検知部から取得した第２のデータに基いて前記処理室の所定時間後の反応を予測する予測部（８４）を有する操作部（７０）と、
を備える。
【００１１】
請求項２に記載の磁流式低温分解装置は、請求項１に記載の磁流式低温分解装置において、
前記操作部は、前記第１のデータ及び前記第２のデータを組み合わせから構成される時系列データを統計学的手法の説明変数として記憶する記憶部（８７）を更に有し、
前記予測部は、前記スクラバ内の煙粒子量が前記所定時間後に所定の値に到達することを統計学的手法により予測する、ことを特徴とすれば、本構成を有しない場合に比して、収集した時系列データを記憶して所定時間後の反応を予測し、磁流式低温分解装置を最適に稼働させて、処理効率の向上とダイオキシンや臭いを含む有害な煙発生量を抑えることができるので好ましい。
【００１２】
請求項３に記載の磁流式低温分解装置は、請求項１又は２に記載の磁流式低温分解装置において、
前記操作部は、前記スクラバ内の煙粒子量が前記所定の値を将来超えないように前記処理室の反応を制御する制御部（８３）を更に有する、ことを特徴とすれば、本構成を有しない場合に比して、制御部が、ダイオキシンや臭いを含む煙の排出を最小化し、処理効率を最大化する最適正制御を行うことができるので好ましい。自動運用が可能となり、専門家がいなくても運用が可能になるので好ましい。
【００１３】
請求項４に記載の磁流式低温分解装置は、請求項３に記載の磁流式低温分解装置において、
前記制御部は、前記予測部の予測結果に基いて、前記磁力ボックスへの空気の投入量、前記処理室への磁気化した空気の投入量、当該処理室への有機物の投入量、及び、前記スクラバ内への噴霧量のうち少なくともいずれか一つを制御する、ことを特徴とすれば、処理室の反応を想定以上に進行し過ぎないように制御することができるので好ましい。
【００１４】
請求項５に記載の磁流式低温分解装置は、請求項３又は４に記載の磁流式低温分解装置において、
前記記憶部は、有機物の種類と量、有機物の含水量、及び、外部の気温と湿度のうち少なくともいずれか一つを含む追加データとを記憶し、
前記予測部は、統計学的手法の説明変数に前記追加データを含めて予測する、ことを特徴とすれば、更に精緻な制御が可能になるので好ましい。
【００１５】
請求項６に記載の磁流式低温分解装置は、請求項３乃至５のいずれか一項に記載の磁流式低温分解装置において、
前記統計学的手法は、回帰分析、多変量解析、又は、教師あり学習モデルである、ことを特徴とすれば、日常の運用と並行してモデルを順次改良することが可能になるので好ましい。
【００１６】
請求項７に記載の磁流式低温分解装置は、請求項５又は６に記載の磁流式低温分解装置において、
前記操作部は、通信回線（２００）を介して接続されたクラウドサーバ（３００）との間でデータの送受信をするルータ（１９０）を更に有し、
前記時系列データと前記追加データは、前記ルータを介して前記クラウドサーバのサーバ記憶部に送信され記憶され、
前記操作部は、前記クラウドサーバに接続された他の磁流式低温分解装置と共有される時系列データと追加データとに基いて、当該クラウドサーバの予測構築部（３２０）により計算された統計学的手法の説明変数を前記ルータを介して受信し、
前記予測部は、前記説明変数に基いて予測し、
前記制御部は、前記予測部の予測結果に基いて制御する、ことを特徴とすれば、本構成を有しない場合に比して、他の磁流式低温分解装置から収集されたデータと共にビッグデータ化され算出された共有可能な統計パラメータを、予測のために使用することでより精度のよい運用ができるので好ましい。
【００１７】
請求項８に記載の磁流式低温分解装置は、請求項１乃至７のいずれか一項に記載の磁流式低温分解装置において、
前記処理室は、有機物に圧力が加えるプッシャ（３５）を更に有する、ことを特徴とすれば、本構成を有しない場合に比して、
有機物に圧力が加えて有機物間の空気を排除して反応の進行を阻害し、処理室内の低温環境を維持すると共に、圧縮された有機物間の熱伝導が効率化するので好ましい。
【００１８】
請求項９に記載の磁流式低温分解装置は、請求項３乃至８のいずれか一項に記載の磁流式低温分解装置において、
前記制御部は、前記処理室が有機物を低酸素状態で低温分解するように当該処理室に投入される有機物の量を制御する、ことを特徴とすれば、
処理室内の温度をダイオキシンの発生温度とされる３００℃〜４００℃よりも低い１８０℃〜２５０℃に保ち、ダイオキシン類、窒素酸化物等の有毒ガスの発生を抑制するので好ましい。
【００１９】
請求項１０に記載の磁流式低温分解装置は、請求項１乃至９のいずれか一項に記載の磁流式低温分解装置において、
前記第１の検知部は、
緑色光または緑色光よりも短い波長の光を発光する発光部（６１）と、
前記発光部が発光した光が煙粒子によって反射した散乱光を直接受光する受光部（６３）と、
を有する、ことを特徴とすれば、水蒸気粒子を除く煙粒子の粒子量を検出でき、費用を低減することができるので好ましい。
【００２０】
請求項１１に記載の磁流式低温分解装置は、請求項１乃至１０のいずれか一項に記載の磁流式低温分解装置において、
投入された廃棄物中の有機物を低温分解して無機物を排出する、ことを特徴とすれば、有機物が無機物から単離され低温分解されて、排出される無機物が投入される廃棄物の１／２００〜１／３００（質量比）になり、その後の処理費用を低減することができるので好ましい。
【００２１】
上記課題を解決するために、分解装置本体を操作する方法は、
空気を磁気化する磁力ボックス（２０）と、磁気化した空気で有機物を低酸素状態で低温分解する処理室（３０）と、排気ガスを処理するスクラバ（５０）と、を有する、分解装置本体（１０）であって、
当該スクラバが当該スクラバ内の臭い及び煙粒子を検知する第１の検知部（５５）を有し、
当該処理室が当該処理室の温度を検知する第２の検知部（４１）を有する、
分解装置本体（１０）を操作する方法において、
前記第１の検知部から取得した第１のデータを記憶する工程と、
前記第２の検知部から取得した第２のデータを記憶する工程と、
前記第１のデータ及び前記第２のデータに基いて前記処理室の所定時間後の反応を予測する工程と、
前記第１のデータ及び前記第２のデータを組み合わせて時系列データを作成して統計学的手法の説明変数として記憶する工程と、
有機物の種類と量、有機物の含水量、及び、外部の気温と湿度のうち少なくともいずれか一つを含む追加データを記憶する工程と、
前記追加データを前記説明変数に含める工程と、
前記説明変数に基いて、前記スクラバ内の煙粒子量が前記所定時間後に所定の値に到達することを統計学的手法により予測する工程と、
予測結果に基いて、
前記磁力ボックスへの空気の投入量、前記処理室への磁気化した空気の投入量、当該処理室への有機物の投入量、及び、前記スクラバ内への噴霧量のうち少なくともいずれか一つを制御することで、
前記スクラバ内の煙粒子量が前記所定の値を将来超えないように前記処理室の反応を制御する工程と、
を備え、
前記処理室の反応を制御する工程は、前記処理室が有機物を低酸素状態で低温分解するように当該処理室に投入される有機物の量を制御し、
前記処理室の反応を制御する工程は、有機物に圧力が加えて有機物間の空気を排除して当該処理室の反応を制御する。
【００２２】
請求項１３に記載の方法は、請求項１２に記載の方法において、
前記時系列データと前記追加データを、通信回線を介して接続されたクラウドサーバに送信する工程と、
前記クラウドサーバに接続された他の磁流式低温分解装置と共有される時系列データと追加データとに基いて、当該クラウドサーバにより計算された統計学的手法の説明変数を受信する工程と、
受信した前記説明変数に基いて予測する工程と、
前記予測部の予測結果に基いて前記処理室の反応を制御する工程と、
を更に備える、ことを特徴とすれば、本構成を有しない場合に比して、他の磁流式低温分解装置から収集されたデータと共にビッグデータ化され算出された共有可能な統計パラメータを、予測のために使用することでより精度のよい運用ができるので好ましい。
【発明の効果】
【００２３】
本発明によれば、ダイオキシンや煙の発生を抑えつつ、処理効率の高い磁流式低温分解装置を提供することができる。
【図面の簡単な説明】
【００２４】
【図１】第１実施形態に係る磁流式低温分解装置の構成を示す概略図である。
【図２】分解装置本体の正面図である。
【図３】磁力ボックスの構成図である。
【図４】処理室の構成図である。
【図５】処理室から排気された排気ガスを処理するスクラバの構成図である。
【図６】パーティクルセンサの原理を説明する図である。
【図７】粒子サイズと発光波長と検出量との関係を説明する図である。
【図８】操作部の構成図である。
【図９】第２実施形態に係る磁流式低温分解装置を説明する図である。
【発明を実施するための形態】
【００２５】
（第１実施形態）
図１は、本発明の第１実施形態に係る磁流式低温分解装置の構成を示す概略図であり、図２は、分解装置本体の正面図である。磁流式低温分解装置１は、分解装置本体１０と操作部７０とを有して構成される。分解装置本体１０は、空気を磁気化する磁力ボックス２０と、磁気化した空気で有機物を低酸素状態で低温分解する処理室３０と、排気ガスを処理するスクラバ５０と、を有して構成される。分解装置本体１０は、後述する操作部７０に接続されて制御される。磁力ボックス２０に取り込まれた外気は磁力ボックス２０内で磁気化（マイナスイオン化）され、生成された磁気イオンとして処理室３０へ排出される。外部から投入される有機物と磁力ボックス２０から供給される磁気イオンとが処理室３０内で低温反応して有機物が分解処理され、生成物が生成されると共に排出ガスがスクラバ５０へ排出される。処理室３０から排出された排出ガスはスクラバ５０内で消煙され無害化され外部へ排出される。かかる構成を有する磁流式低温分解装置１の詳細を以下に説明する。
【００２６】
図３は、磁力ボックス２０の構成図である。吸入口２１から取り込まれた外気は、磁力線を発生させる磁気部２２で挟まれた空気管２５内を通過することにより磁気化（マイナスイオン化）され、生成された磁気イオンが排出口２３から処理室３０（図４）へ排出される。吸入口２１には調整弁２４が配設され、吸入口２１の開度を調整することで取り込まれる空気量が制御される。本実施形態では、磁力ボックス２０は２個の空気管２５を備え、吸入口２１から取り込まれた外気が空気室２６を経由して当該２個の空気管２５に送られる構成を有する。なお、排出口２３は２個に限定されず、１個でも３個以上でもよい。
【００２７】
磁気部２２は、永久磁石や電磁石、プラズマ磁力等が考えられる。図３では磁気部２２を１つとして示すが、空気管２５に沿って複数の磁気部２２を配置してもよい。複数の磁気部２２を配置する場合、取り込まれる空気量に応じて各磁気部２２を制御することで、生成される磁気イオンの質の安定化を図ることができる。調整弁２４は、吸入口２１の開度を調整して自然吸気の空気量を調整する構成を説明したが、ファンの風量を調整して強制的に吸入される空気量を調整する構成でもよい。図３では調整弁２４を吸入口２１側に配設した構成を示したが、排出口２３側に配設してもよい。調整弁２４が吸入口２１側に配設される場合、磁気化した空気（磁気イオン）は複数の排出口２３から均等に或いは空気管２５の太さに応じた量が排出される。調整弁２４が排出口２３側に配設される場合、複数の排出口２３の各々から排出される磁気化した空気の量を調整することができる。複数の排出口２３がある場合、各排出口２３が図４の処理室３０の対応する吸入口３１に接続される。処理室３０の吸入口３１の位置（高さ）に応じて磁気化した空気が排出される。なお、磁力ボックス２０が調整弁２４を備える代わりに、処理室３０の吸入口３１に調整弁を備える構成としてもよい（図示省略）。
【００２８】
図４は、処理室３０の構成図である。磁力ボックス２０の排出口２３（図３）が処理室３０の吸入口３１に接続され、磁気化した空気が処理室３０内に取り込まれる。分解装置本体１０（図２）の外部に設置された粉砕機（不図示）により粉砕された有機物がベルトコンベア等（不図示）で搬送され、投入口３４から処理室３０内に投入される。投入口３４には蓋部３３があり、開閉を検知する投入口管理センサ４０が配設される。投入口３４には、蓋部３３のすぐ下にプッシャ３５が配設されている。プッシャ３５は、有機物３８に圧力を加えるエアシリンダ３６を備える。処理室３０内には、第２の検知部を構成する１又は複数の温度センサ４１が設置される。測定値は操作部７０（図１）に送られる。なお、処理室３０が複数の吸入口３１を備え、各吸入口に調整弁が配置された構成の場合、各調整弁を適宜制御することで磁気化した空気の投入量を処理室３０の上部と下部とで制御し、処理室３０全体の均質な反応を促進することができる（図示省略）。
【００２９】
プッシャ３５は、反応の進行に伴って有機物３８間に空洞が生じるとき、有機物３８に圧力が加えて有機物３８間の空気を排除して反応の進行を阻害し、処理室３０内の低温環境を維持すると共に、圧縮された有機物３８間の熱伝導の効率化を図る。有機物３８を押すプッシャ３５の位置（高さ）に応じて、エアシリンダ３６のピストンロッド３７（図２）の長さは変化する。従って、ピストンロッド３７の長さを計測または目視することで、処理中の有機物３８の量を知ることができる。有機物３８の体積が所定体積まで小さくなると、投入口３４から有機物が追加投入される。
【００３０】
有機物は、プラスチック・発泡スチロール・ポリ袋・ビニル・トレイ等の石油製品、食品残渣、雑誌・カタログ類・電話帳等の紙製品、庭木・枝・木片・おがくず・解体木材等の樹木類、ビニルシート・農業用ビニルハウス・肥料用袋等の農業廃棄物、水産、魚のあら・漁網等の漁業廃棄物、馬や牛等の家畜糞、畜舎の藁等の畜産廃棄物、衣類・ぬいぐるみ等の布製品、ベッドシーツ・紙おむつ等・注射針の医療廃棄物等が考えられる。実験によれば、含水率が７０％以下であれば、ほとんどの有機物を分別することなく投入することが可能である。含水量が高いものは、紙類・ダンボール等の含水率の低いものと混合して７０％以下にするか、または、脱水・天日干し等をして７０％以下すれば投入可能である。
【００３１】
処理室３０は、有機物が外部から投入された後に、炉心作成のために初期時に着火される。投入された有機物は、反応しつつ処理室３０内を下方に移動する。有機物３８の水分や空気中の水分は磁気化した空気によって電気分解され、水素イオンと水酸化物イオンとが生成される。このとき、処理室３０内を移動する磁気化した空気の起電力は１ボルト以下のごく微弱なもので、酸素は発生しない。発生した水酸化物イオンが有機物３８を低酸素状態で低温分解すると共に、有機物３８中の炭素分子に衝突して熱を生じさせる。この反応で発熱するので、燃料（化石燃料等）を新たに投入することを要しない。有機物の投入量を制御することで処理室３０内の温度を１８０℃〜２５０℃に保ち、有機物３８を低温分解処理する。ダイオキシンの発生温度とされる３００℃〜４００℃よりも低い温度で分解処理するため、ダイオキシン類、窒素酸化物等の有毒ガスの発生は抑制される。低温分解は低酸素状態の限界酸素（酸素濃度１０〜５％以下、好ましくは８％以下）下で進行し、有機物３８は磁気化した空気に晒されて炭素化が促される。約１２〜２４時間が経過すると有機物３８は乾燥し体積が減る。新たな有機物が投入口３４から投入される。低温反応処理の結果、排出ガスが排出されると共に、生成物が生成される。排気ガスは、水蒸気と臭い、ダイオキシンを少量含む煙を僅かに含むため、排気口を経由して排出されスクラバ５０（図５）で消煙される（後述）。
【００３２】
生成物には、排出液とセラミックス灰がある。排出液は、弱酸性の木酢液用の残液で、タール状の残滓と酢液に分類される。タール状の残滓はすくい取られ、新たな有機物と混合して処理室３０に再投入され処理される。新たに投入された有機物の大半は処理室３０内で低温処理され、投入量の１／２００〜１／３００（質量比）まで分解される。処理室３０内の下部には炭化した残滓が残り、７２時間程度を経て最終的に磁気を帯びた白色のセラミックス灰３９になる。
【００３３】
例えばプリント配線基板等を含む電気部品の場合、使用されるエポキシ樹脂等の熱硬化性樹脂が低温分解されて銅等の無機物が排出される。アルミニウムが裏打ちされた自動車用シートに使用されるフェルトや、防磁のために導電性塗料が内側面に塗布されたＣＲＴやノート型パソコン等のカバーも、破砕されて投入されると有機物が低温分解されて無機物が残る。同様に、太陽光パネルも破砕されて投入されると有機物が低温分解されて、ガラスパネルのケイ素や、太陽光パネルのガリウム、ヒ素、カドミウム、テルル等の無機物が残る。農業廃棄物や漁業廃棄物等は材料として塩化ビニルを含む。塩素ガスやダイオキシン等の有毒ガスを発生させることなく低温分解され、塩素は廃棄物中のナトリウムやカリウムと結びついて塩（ＮａＣｌ、ＫＣｌ）となる。特に漁網には鉛等の無機物が含まれるが、有機物は低温分解されて無機物だけが残る。従来はこれらの廃棄物を破砕して地中等に埋めていたが、時間の経過とともに塩素成分は塩素ガスとして大気中に排出する恐れがあった。医療廃棄物も破砕されて投入されると、１８０℃〜２５０℃の温度に約１２〜２４時間保たれて有機物は低温分解され７２時間程度を経て無機物が残るので、乾熱滅菌ができる。磁流式低温分解装置１によれば、有機物と金属類等の無機物とが混合された状態で投入されると、有機物が低温分解されて投入量の１／２００〜１／３００（質量比）の無機物が残るので、磁流式低温分解装置１は有機物と無機物のセパレータとしての機能を果たす。
【００３４】
セラミックス灰３９は、取り出し口４２（図２）から掻き出され、肥料としてのリサイクルや壁紙の糊に混ぜる等して再利用される。もうひとつの生成物である排出液（酢液）は、蓋部３３より滴下し底部にたまり、セラミックス灰３９と同様に取り出し口４２（図２）から取り出される。酢液は、市販の木酢液と同様に５００〜１０００倍に薄めて害虫駆除剤として散布利用される。
【００３５】
ここで、投入口管理センサ４０は、安全管理のために蓋部３３の開閉状態を検出し、或いは、蓋部３３の開閉回数や有機物３８の投入の有無を検出し、検出結果を操作部７０（図１）へ送る。一回当たりの平均投入量を予め入力することで、操作部７０（図１）は投入回数から投入量を推定することができる。尚、処理室３０の下部に重量センサ（不図示）を設置することで投入量を検出することもできる。
【００３６】
処理室３０内が高温になるとダイオキシンや臭い等の有害物質の発生が増加する。一方、低温に抑えると化学反応速度が遅くなり、結果として有機物の処理速度が低下する。温度センサ４１は、処理室３０内で下部に設置される。処理室３０内で最高温度になるのが処理室３０内の下部であるから、そこに温度センサ４１を設置することはダイオキシン等の発生の抑制には好適である。処理室３０内の上部にも温度センサ４１を設置することで、処理室３０内の状況をより詳細に把握でき、有機物の投入量や磁気化した空気の吸入量、プッシャ３５による加圧の程度をより詳細に制御することができる。
【００３７】
後で説明する統計的な予測処理をする場合、処理室３０内の下部に設置した温度センサ４１が検出する温度（第２のデータ）は、有機物の処理速度と有害物質の発生量に関連する説明変数となる。また、有機物の投入量は、前述したピストンロッド３７の長さや、投入口管理センサ４０が検出する蓋部３３の開閉回数、重量センサが検出する重量が説明変数になる。処理室３０内の下部と上部の温度の差は、投入されて未処理の有機物の量と熱伝導度に関連する説明変数となる。
【表１】
0006821164.tif 000002
Ａ１、Ａ２は、後述する予測のための説明変数として利用する。
【００３８】
図５は、スクラバ５０の詳細図である。スクラバ５０は、湿式のスクラバ方式である。処理室３０（図４）から排出された排気ガスは吸入口５１を通じて消煙室５４に導入される。消煙室５４は、排気ガスを重力方向に導く下向きの通路と重力方向の逆向きに導く通路とが交互に連結されて構成される。消煙室５４の下向き通路の上部には噴霧器５３が設置され、噴霧器５３から水がミスト状に下方向に噴霧される。排気ガスが消煙室５４を通過する際、排気ガスに含まれる粒子はミストによって絡め取られ、排気ガスは無害化される。噴霧された水と絡め取られた排気ガスの粒子は、消煙室５４の下部に蓄積される。蓄積された水は油分を含み、油分の回収機構（不図示）と水の回収機構（不図示）が回収する。一方、無害化された排気ガスは、ほぼ水蒸気だけが残った浄化されたガスとなって煙突５６から排出される。
【００３９】
噴霧器５３は、水道管または貯水槽に接続され、調整弁５２によって噴霧量が制御される。噴霧器５３が消煙機能を性能通りに達成するため、また、噴霧器５３から消煙機能を超えた量の水が噴霧されないようにするため、噴霧量が制御され、性能を維持しつつ省資源化を図っている。
【００４０】
スクラバ５０には、消煙室５４の吸入口５１及び煙突５６の近傍にパーティクルセンサ５５が設置され、第１の検知部を構成する。パーティクルセンサ５５によって、排気ガスの粒子量（第１のデータ）が計測される。吸入口５１の近傍の排気ガスは、臭いや、水蒸気粒子とダイオキシンを含む煙の粒子を少量含む。煙突５６の近傍の排気ガスは、理想的には水蒸気粒子だけである。煙突５６から排出される水蒸気は、処理室３０内で発生した水蒸気の一部と噴霧器で噴霧された水の一部を含む。
【００４１】
排気ガスは、水蒸気とダイオキシンを含む煙や臭いの粒子を含むが、環境の観点で重要なのは水蒸気以外の粒子が排出されないことであり、水蒸気を除いた粒子量を計測する必要がある。吸入口５１の近傍で計測される水蒸気を除く粒子量は、処理室３０（図４）内で有機物３８から発生した粒子量であり、煙突５６の近傍で計測される水蒸気を除く粒子量は、消煙室５４での浄化後の粒子量である。処理室３０内での発生煙量と、消煙室５４での浄化量の２つの目的変数、説明変数を定義できる。
【表２】
0006821164.tif 000003
【００４２】
ここで、Ａ１及びＡ２を説明変数にしたとき、Ｂ１は目的変数になる。Ｂ２は、水蒸気を除く最終的な粒子発生量であるので、Ｂ２を目的変数としたとき、Ａ１、Ａ２、Ａ３を説明変数にすることができる。Ｂ２を予測することは、消煙室５４の水蒸気を除く粒子量が所定の値を超えないように予測することになる。詳細は後で説明する。
【００４３】
図６及び７は、パーティクルセンサ５５（図５）に関する説明図である。図６は、パーティクルセンサ５５の原理を説明する図である。パーティクルセンサ５５は、発光部６１と受光部６２とを有して構成される。発光部６１は、ＬＥＤ等の発光素子を有し、受光部６２は、フォトトランジスタダイオード、光電子倍増管等の受光素子を有する。光は発光部６１から煙粒子６３および水蒸気粒子６４を含む排気ガスに向けて照射され、排気ガス中の球状粒子によって乱反射された散乱光が受光部６２に届く。これにより、球状粒子による散乱光の強度を求めることができる。
【００４４】
発光部６１で発光した光は、受光部６２で受光される。受光部６２の受光素子が検出した散乱光の強度は、変換部６５によりＡ／Ｄ変換される。変換された電圧は、粒子量の特性値として扱われる。送信部６６は、変換部６５で変換された信号をＢｌｕｅｔｏｏｔｈ（登録商標）やＷＩＦＩ（登録商標）、ＺｉｇＢｅｅ（登録商標）等の既存の通信技術を使って操作部７０（図１）に送る。
【００４５】
図７は、波長と粒子の散乱光の強度との関係を表したグラフである。粒径が小さい範囲では、散乱光の強度は粒径の３乗に比例し、波長の４乗に反比例する性質を持つことが知られている。排気ガス中の水蒸気は、粒子径が１０〜１００μｍ程度の大きさで煙粒子と比較して十分大きいので、発光部６１の光の波長を適切に選択することで、水蒸気粒子を除く煙粒子の粒子量を推定できる。図７に示されるように、粒子径の大きい水蒸気の散乱光の強度は波長に対して変動が少ないのに対して煙粒子の散乱光の強度は波長によって変動があるため、短い波長を選択することで水蒸気粒子の影響を排除し、煙粒子の粒子量を散乱光の強度として求めることができる。
【００４６】
図６に戻って、発光部６１が照射する光の波長は、煙粒子を捕捉し易い緑領域の波長＝５２５ｎｍが好適であるが、より波長の短い青領域やＵＶ領域の波長を有するＬＥＤその他の発光素子を用いてもよい。緑領域以外に、赤または赤外の領域で波長の異なる光を発する複数の発光素子を同時に用いて比較することで、水蒸気粒子と煙粒子の配分比といったデータを取得することも可能である。この場合、時分割で受発光する方式や発光部６１及び受光部６２に偏光板等のフィルタを付ける等の方式を取る。精度を上げるための追加の回路や部材が必要となりコスト高の原因になる。磁流式低温分解装置１では、一定量の水蒸気粒子がある環境下で煙粒子の存在と量を検知するので、複数の発光素子を用いず、また、偏光板を介さない単一波長の発光素子と、偏光板を介さず直接受光する受光部６２とで水蒸気粒子以外の煙粒子を検出する。
【００４７】
緑色光または緑色光よりも短い波長の光を連続的に発光する発光部６１と、発光部６１が発光した光が粒子によって反射した散乱光を、（フィルタを介さず）直接受光する受光部６２と、受光部６２からの信号を電圧に変換する簡単な構成で、水蒸気粒子を除く煙粒子の粒子量を検出でき、費用を低減することができる。
【００４８】
図８は、操作部７０の構成と予測制御を示す。磁流式低温分解装置１では、操作部７０は、センサデータや、後述の追加データや付帯情報を収集する受信部８１と、収集データや稼働状況を表示および報知する表示部８２と、磁流式低温分解装置１の稼働制御をする制御部８３と、収集データに基づいて装置の稼働を予測する予測部８４と、記憶部８７と、を有して構成される。なお、操作部は、制御部を具備しないで受信部と表示部だけで構成されてもよい。制御部を具備していない構成では、管理者が表示部に表示される数値やガイダンスに基づいて手動で対応する。
【００４９】
操作部７０は、磁流式低温分解装置１に備え付けられた専用のものでなく、例えば外付けのパーソナル・コンピュータや、スマートフォン等の汎用機器でもよい。装置価格を低く抑えることできる。操作部は、１つの磁流式低温分解装置に１つとは限らず、複数の操作部があってもよい。例えば管理者が持つスマートフォンにモニタリング機能を有するアプリケーションソフトウェアを導入して対応すれば、利便性が格段に上がる。
【００５０】
受信部８１は、処理室３０に設置された温度センサ４１が検出する温度のデータ（第２のデータ）や、スクラバ５０に設置されたパーティクルセンサ５５が計測する排気ガスの粒子量のデータ（第１のデータ）や投入口管理センサ４０のデータを収集する。これらのデータを所定の時間間隔で収集し、記憶部８７に時系列データの一つの組として格納する。収集したデータは表示部８２で表示したり、後述する予測部８４の予測データとして利用する。
【００５１】
収集するデータは、上記のデータ以外に追加データを収集してもよい。追加データとして、有機物の種類、有機物の含水量、外部の気温や湿度等がある。これらデータは、例えば、種類や含水量や温度湿度等を分類し層別することで予測データを取得するために活用することができる。また、磁力ボックス２０やスクラバ５０に設置された調整弁２４，５２の状況（開度）やピストンロッドの長さ等を付帯情報として収集し、予測データを取得するために活用するとともに、収集したデータや予測結果を表示部８２に表示することも可能である。
【００５２】
表示部８２は、収集したデータや調整弁の状況を表示する。表示は、データを数値化したもの、色等で視覚化したものであってもよい。収集したデータが所定の閾値を超えた場合、後述する予測部８４の結果を、音や表示、或いは信号表示灯等で報知する機能をもつ。報知は表示部８２に表示する以外に、管理者の持つスマートフォン等に報知してもよい。管理者が磁流式低温分解装置１の近傍にいなくても適切に処置することを可能とする。
【００５３】
表示部８２は、単純な７セグメントＬＥＤディスプレイ等の表示装置であったり、キーボード機能を有するタッチパネル等の入力部８８を備えてもよい。入力部８８を備える操作部７０の場合は、例えば収集したデータ、追加データ、付帯情報を表形式で表示したり、センサの設置位置を表す地図表示上にデータを表示する表示形態を切り替えしたりすることが可能である。制御部８３を備えた操作部７０の場合、制御用のコントロールパネル（不図示）をモニタ８０に表示して、モニタ８０から稼働制御をしてもよい。
【００５４】
制御部８３は、磁力ボックス２０やスクラバ５０の各々に備えられた調整弁２４，５２を制御する。適切に制御することで、ダイオキシンや臭いを含む煙の排出を最小化し、処理効率を最大化する最適正制御を行うことができる。制御部８３は、制御用のコントロールパネル（不図示）から手動により操作されるか、後述する予測部８４の予測結果に基づいて自動で操作される。調整弁２４を制御することで磁力ボックス２０への空気の投入量が制御される。調整弁５２を制御することで噴霧器５３への水の投入量を制御することができ、消煙の効果および過剰な水の供給を制御できる。
【００５５】
制御部８３は、反応に関わる制御や消煙に関する制御に限定されない。例えば、処理室３０の蓋部３３からの有機物３８の投入量に関わる、蓋部３３の開閉や粉砕した有機物３８を運ぶベルトコンベア（不図示）の制御も実行できる。有機物３８の投入量を制御することで有機物３８の処理速度の最速化が可能になる。
【００５６】
記憶部８７は、受信部８１で収集したパーティクルセンサ５５が計測する排気ガスの粒子量のデータ（第１のデータ）及び温度センサ４１が検出する温度のデータ（第２のデータ）、付帯情報、追加データを時系列データとして記憶する。また、予測部８４で使用する回帰係数等の統計学的手法の説明変数を記憶する。回帰係数等の予測データは、外部で事前に作成されたものを記憶したり、収集した時系列データを基に作成し記憶してもよい。
【００５７】
予測部８４は、センサ等から収集されたデータから、統計学的な予測処理を使って所定時間後の反応を予測する。反応の予測は主に煙発生量の予測であるが、その他に反応のバラつきや浄煙等の付帯状況を含む。磁流式低温分解装置１を最適に稼働するために、処理効率の向上とダイオキシンや臭いを含む有害な煙発生量を抑えることを同時に達成する必要がある。
【００５８】
（予測運転制御）
温度センサ４１による処理室３０の予測運転制御を説明する。２５０℃を超えるとダイオキシンの発生の恐れがあるため、従来のディテクション型の制御方法では、処理室３０内の温度を常時監視し、温度が所定の温度、例えば２５０℃になると警報を発呼し、その後、自動操作や手動操作で反応を抑制する制御を行う。従来の方法では、発呼から制御までの時間遅延や制御開始から温度が下がるまでの時間遅延が発生することになり、処理室３０内の温度が一時的に所定の温度を超えて、ダイオキシン等の発生させる恐れがある。所定の温度を低く設定することでダイオキシンの発生温度に到達しないようすることも可能だが、その場合は逆に処理効率を低下させる要因となる。従来のディテクション方式では、問題発生後になるべく迅速に問題対応するため、強めの制御をかけるため、却って処理効率が低下する恐れもある。
【００５９】
より効果的な稼働のために、磁流式低温分解装置１では、温度の制御だけでなく、煙を測定することで実質的に有害な煙の発生を抑えること、及び、煙を検出し対処するのではなく、煙の発生を避けるプレベンテーション方式により制御を実施する。パーティクルセンサ５５及び温度センサ４１のデータからプレベンテーション方式の警報を出力することによって、処理速度の向上と有害物質の抑止の両方の最適化を図ることができ、効果的に磁流式低温分解装置１を導入できる。
【００６０】
予測部８４は、予測のためにセンサ等から収集されたデータ、付帯情報、追加データを収集して統計パラメータを生成する予測構築部８５と、将来の状態を予測する予測運用部８６とを有して構成される。予測構築部８５では、データ等を時系列の組又は時系列に依存しない定数として記憶部８７に蓄積されたデータから、適切なタイミングで統計分析を行い、統計学的手法の説明変数の算出を行う。ここで、説明変数は回帰係数である。
【００６１】
予測構築部８５の説明変数の構築は、外部から説明変数を取り込んで構築する方法や試験運転期間中に取得する方法がある。更に、実運用の期間中もたびたび構築し、より精度の高い説明変数を取得することができる。予測構築部８５で構築する統計手法は、簡便な手段としては、Ａ１で示した処理室３０内の下部に設置した温度センサ４１の温度又は温度変化を独立変数として、所定時間後のＢ２で示した煙突５６の近傍に設置したパーティクルセンサ５５の値を従属変数にし、所定時間後の煙量を単純回帰分析として予測する。ここで、所定時間は自動制御や手動制御により効果が現れるまでの時間である。
【００６２】
より柔軟性のある方法として、所定時間も説明変数にして、多変量解析により煙量を求めることも可能である。外注の人手による運用では、ＳＬＡ（サービルレベルアグリメント）に定義されたサービス継続性が重要になる。例えば、インシデント発生後、３０分以内に運用管理をする等を契約する方法である。このようなアウトソーシングをするために、所定時間を可変にし、運用のアウトソーシング化を可能にすることもできる。
【００６３】
さらに、より精度の高い予測手法をとることが可能である。前述した処理室３０内の下部に設置した温度センサ４１のデータに加えて、調整弁２４または３２の弁の開度、つまり磁気化した空気の吸入量を時系列または固定の説明変数に加えることで、現在の開度による所定時間後の煙量の予測が可能になる。
【００６４】
このような予測が可能になると、逆の手法である例えばゴールシーキング等の手法を使うことにより、最適な調整弁の開度を求めることも可能である。ゴールシーキングとは、目的変数の値を決めて、どのような説明変数値だと目的変数の値になるのか説明変数を変動させて求める方式である。ゴールシーキングにより、調整弁の開度を始めとする付帯情報のうちどの値を制御するかを求めることが可能となる。所定時間後に煙量が所定量を超える予想をした場合、所定の閾値を超えないように制御する必要がある。また、安全に運用できる基準の煙量の基準量を予め設定しておく。例えば、基準量は所定の閾値の９５％である。目的変数として、設定した煙量として基準量を設定し、ゴールシーキングで調整弁の開度を求める。所定時間を説明変数に利用している場合、所定時間を長く確保した場合に所定の閾値に達する調整弁の開度を求めることも可能である。この場合は当面、煙の発生が基準量を超えない調整弁の開度を求めることになる。
【００６５】
処理室３０での反応は、磁気化した空気の量だけでなく、有機物の種類や含水量、投入量、処理室３０内での均質性（混ざり合い）、外部の温度、湿度によっても影響を受ける。従って、これらの追加データを説明変数として、数値以外のパラメータは層別した値を設定し、多変量解析を行ってもよい。これにより更に精緻な制御が可能になる。このように説明変数を多くすることによって、例えば先に説明した予測同様にゴールシーキング等の手法を用いることにより有機物投入量の最適量を求めることが可能になる。
【００６６】
予測構築部８５について、単純回帰分析や多変量解析によるパラメータ構築を説明したが、教師あり学習モデル、例えばＳＶＭ（サポートベクターマシン）等の手法を用いて、煙が所定量を超えるかどうか予測することでもよい。日常の運用しながら、モデルを順次改良することが可能になる。
【００６７】
予測運用部８６は、予測構築部８５で構築した統計モデルに基づき、収集したセンサの時系列データ、付帯情報、追加データから所定時間後に煙量が閾値を超えるか予測し、その結果を表示部８２や制御部８３に通知する。表示部８２ではその結果に基いて、警報を発呼する。既に説明したように、ゴールシーキング等の手法により、必要な制御方法を表示部に表示することも可能である。例えば、表示部８２では「調整弁の１０％開いてください」等の案内を出すことが可能となる。このような表示は、運用者に予測結果を認知させ、運用者が手動操作による調整弁等の調整を可能とする。
【００６８】
制御部８３との連携する場合について説明する。自動制御する場合は、制御部８３に対して予測結果を通知する。制御部８３は、予測結果に基づいて将来の処理室３０の反応が想定以上に進行し過ぎないように調整弁を制御する。反応が想定以上に進行し過ぎないとは、消煙室５４の水蒸気を除く煙量が所定の量を超えないこと、または、消煙室５４に入る水蒸気を除く煙量が所定の量を超えないことである。多変量解析を用いる場合は、調整弁の制御だけでなく、有機物の投入量等の別の説明変数に該当する部分の制御も可能である。制御部８３を追加することで自動運用が可能となり、専門家がいなくても運用が可能になる。
【００６９】
スクラバ５０の吸入口５１近傍のパーティクルセンサ５５と煙突５６近傍のパーティクルセンサ５５の計測値の差から、消煙室５４の浄化能力を算出することが可能である。適切な閾値を設定することにより、噴霧器５３の制御が可能になる。反応度のバラつきや消煙室５４の能力は、予測運用部８６だけで算出したが、予測構築部８５で、煙量を予測した方式を採ることも可能である。
【００７０】
以上述べたように、予測は多変量解析や教師型学習の手法を用い、更に磁気化した空気の吸入量や、その他のデータを加えることで、更なる最適化ができるとともに、運用のアウトソーシングも可能となる。
【００７１】
（第２実施形態）
図９は、本発明の第２実施形態に係る磁流式低温分解装置を説明する図である。第２実施形態に係る磁流式低温分解装置１０１は操作部１７０がルータ１９０を備え、通信回線２００を介してクラウドサーバ３００に接続されている点で、第１実施形態に係る磁流式低温分解装置１と相違する。第１実施形態に係る磁流式低温分解装置１との同一又は類似の要素については、同一又は類似の符号を付して説明を省略する。
【００７２】
クラウドサーバ３００にはイントラネットやインターネット等の通信回線２００を介して複数の磁流式低温分解装置１０１，１０１’，１０１”が接続されている。それぞれの磁流式低温分解装置１０１，１０１’，１０１”には、操作部１７０，１７０’，１７０”がある。クラウドサーバ３００は、サーバ記憶部３１０と予測構築部３２０とを備える。
【００７３】
磁流式低温分解装置１０１では、操作部１７０が受信した時系列データ、付帯情報、追加データが、磁流式低温分解装置１０１に紐付けされて、ルータ１９０を介してクラウドサーバ３００に送信される。データを受け取ったクラウドサーバ３００では、データがサーバ記憶部３１０に蓄積される。ここで、追加データのうち、気温や湿度は、磁流式低温分解装置１０１からでなく、外部サービスの気象データを取得してもよい。
【００７４】
クラウドサーバ３００上の予測構築部３２０では、各磁流式低温分解装置１０１，１０１’，１０１”から収集されたデータを、例えば有機物の種類等用法に応じて分類し、各磁流式低温分解装置１０１，１０１’，１０１”で共有可能な統計パラメータを算出する。算出された統計パラメータは、各磁流式低温分解装置１０１，１０１’，１０１”に送信され、各磁流式低温分解装置１０１，１０１’，１０１”の予測運用部での予測のために使用する。クラウドサーバ３００上に予測運用部を持ち予測関連の処理を集中化することも可能だが、ネットワーク障害等が発生した場合の、サービスの継続性考慮した場合、予測運用部は、クラウドサーバ３００上ではなく、各磁流式低温分解装置にあることが好ましい。
【００７５】
以上述べたように、磁流式低温分解装置１０１は、クラウドサーバ３００から離れた遠隔地に配置することができる。また、各磁流式低温分解装置で収集されるデータをクラウドサーバ３００上に収集し、ビッグデータ化し、統計パラメータを算出し、各磁流式低温分解装置で共有することによってより精度のよい運用ができるようになると共に、運用のサービス化が可能になる。
〔態様１〕
空気を磁気化する磁力ボックス（２０）と、
磁気化した空気で有機物を低酸素状態で低温分解する処理室（３０）と、
排気ガスを処理するスクラバ（５０）と、
を有する、分解装置本体（１０）であって、
前記スクラバが、当該スクラバ内の臭い及び煙粒子を検知する第１の検知部（５５）を有し、
前記処理室が、当該処理室内の温度を検知する第２の検知部（４１）を有する、分解装置本体（１０）と、
前記第１の検知部から取得した第１のデータ及び前記第２の検知部から取得した第２のデータに基いて前記処理室の所定時間後の反応を予測する予測部（８４）を有する操作部（７０）と、
を備える、磁流式低温分解装置（１）。
〔態様２〕
態様１に記載の磁流式低温分解装置において、
前記操作部は、前記第１のデータ及び前記第２のデータを組み合わせから構成される時系列データを統計学的手法の説明変数として記憶する記憶部（８７）を更に有し、
前記予測部は、前記スクラバ内の煙粒子量が前記所定時間後に所定の値に到達することを統計学的手法により予測する、磁流式低温分解装置。
〔態様３〕
態様１又は２に記載の磁流式低温分解装置において、
前記操作部は、前記スクラバ内の煙粒子量が前記所定の値を将来超えないように前記処理室の反応を制御する制御部（８３）を更に有する、磁流式低温分解装置。
〔態様４〕
態様３に記載の磁流式低温分解装置において、
前記制御部は、前記予測部の予測結果に基いて、前記磁力ボックスへの空気の投入量、前記処理室への磁気化した空気の投入量、当該処理室への有機物の投入量、及び、前記スクラバ内への噴霧量のうち少なくともいずれか一つを制御する、磁流式低温分解装置。
〔態様５〕
態様３又は４に記載の磁流式低温分解装置において、
前記記憶部は、有機物の種類と量、有機物の含水量、及び、外部の気温と湿度のうち少なくともいずれか一つを含む追加データとを記憶し、
前記予測部は、統計学的手法の説明変数に前記追加データを含めて予測する、磁流式低温分解装置。
〔態様６〕
態様３乃至５のいずれか一項に記載の磁流式低温分解装置において、
前記統計学的手法は、回帰分析、多変量解析、又は、教師あり学習モデルである、磁流式低温分解装置。
〔態様７〕
態様５又は６に記載の磁流式低温分解装置において、
前記操作部は、通信回線（２００）を介して接続されたクラウドサーバ（３００）との間でデータの送受信をするルータ（１９０）を更に有し、
前記時系列データと前記追加データは、前記ルータを介して前記クラウドサーバのサーバ記憶部に送信され記憶され、
前記操作部は、前記クラウドサーバに接続された他の磁流式低温分解装置と共有される時系列データと追加データとに基いて、当該クラウドサーバの予測構築部（３２０）により計算された統計学的手法の説明変数を前記ルータを介して受信し、
前記予測部は、前記説明変数に基いて予測し、
前記制御部は、前記予測部の予測結果に基いて制御する、磁流式低温分解装置。
〔態様８〕
態様１乃至７のいずれか一項に記載の磁流式低温分解装置において、
前記処理室は、有機物に圧力が加えるプッシャ（３５）を更に有する、磁流式低温分解装置。
〔態様９〕
態様３乃至８のいずれか一項に記載の磁流式低温分解装置において、
前記制御部は、前記処理室が有機物を低酸素状態で低温分解するように当該処理室に投入される有機物の量を制御する、磁流式低温分解装置。
〔態様１０〕
態様１乃至９のいずれか一項に記載の磁流式低温分解装置において、
前記第１の検知部は、
緑色光または緑色光よりも短い波長の光を発光する発光部（６１）と、
前記発光部が発光した光が煙粒子によって反射した散乱光を直接受光する受光部（６３）と、
を有する、磁流式低温分解装置。
〔態様１１〕
態様１乃至１０のいずれか一項に記載の磁流式低温分解装置において、
投入された廃棄物中の有機物を低温分解して無機物を排出する、磁流式低温分解装置。
〔態様１２〕
空気を磁気化する磁力ボックス（２０）と、磁気化した空気で有機物を低酸素状態で低温分解する処理室（３０）と、排気ガスを処理するスクラバ（５０）と、を有する、分解装置本体（１０）であって、
当該スクラバが当該スクラバ内の臭い及び煙粒子を検知する第１の検知部（５５）を有し、
当該処理室が当該処理室の温度を検知する第２の検知部（４１）を有する、
分解装置本体（１０）を操作する方法において、
前記第１の検知部から取得した第１のデータを記憶する工程と、
前記第２の検知部から取得した第２のデータを記憶する工程と、
前記第１のデータ及び前記第２のデータに基いて前記処理室の所定時間後の反応を予測する工程と、
前記第１のデータ及び前記第２のデータを組み合わせて時系列データを作成して統計学的手法の説明変数として記憶する工程と、
有機物の種類と量、有機物の含水量、及び、外部の気温と湿度のうち少なくともいずれか一つを含む追加データを記憶する工程と、
前記追加データを前記説明変数に含める工程と、
前記説明変数に基いて、前記スクラバ内の煙粒子量が前記所定時間後に所定の値に到達することを統計学的手法により予測する工程と、
予測結果に基いて、
前記磁力ボックスへの空気の投入量、前記処理室への磁気化した空気の投入量、当該処理室への有機物の投入量、及び、前記スクラバ内への噴霧量のうち少なくともいずれか一つを制御することで、
前記スクラバ内の煙粒子量が前記所定の値を将来超えないように前記処理室の反応を制御する工程と、
を備え、
前記処理室の反応を制御する工程は、前記処理室が有機物を低酸素状態で低温分解するように当該処理室に投入される有機物の量を制御し、
前記処理室の反応を制御する工程は、有機物に圧力が加えて有機物間の空気を排除して当該処理室の反応を制御する、分解装置本体を操作する方法。
〔態様１３〕
態様１２に記載の方法において、
前記時系列データと前記追加データを、通信回線を介して接続されたクラウドサーバに送信する工程と、
前記クラウドサーバに接続された他の磁流式低温分解装置と共有される時系列データと追加データとに基いて、当該クラウドサーバにより計算された統計学的手法の説明変数を受信する工程と、
受信した前記説明変数に基いて予測する工程と、
前記予測部の予測結果に基いて前記処理室の反応を制御する工程と、
を更に備える、方法。
【産業上の利用可能性】
【００７６】
本発明は、ダイオキシンを始めとする有害物質や臭い等の有害物の抑制制御と分解処理速度とを両立させて運転を最適化する磁流式低温分解装置に利用可能である。
【符号の説明】
【００７７】
１：磁流式低温分解装置、
１０：分解装置本体、
２０：磁力ボックス、２１：吸入口、２２：磁気部、２３：排出口、２４：調整弁、２５：空気管、２６：空気室、
３０：処理室、３１：吸入口、３３：蓋部、３４：投入口、３５：プッシャ、３６：エアシリンダ、３７：ピストンロッド、３８：有機物、３９：セラミックス灰、４０：投入口管理センサ、４１：温度センサ（第２の検知部）、４２：取り出し口
５０：スクラバ、５１：吸入口、５２：調整弁、５３：噴霧器、５４：消煙室、５５：パーティクルセンサ（第１の検知部）、５６：煙突、
６１：発光部、６２：受光部、６３：煙粒子、６４：水蒸気粒子、６５：変換部、６６：送信部、
７０：操作部、
８０：モニタ、８１：受信部、８２：表示部、８３：制御部、８４：予測部、８５：予測構築部、８６、予測運用部、８７：記憶部、８８：入力部、
１０１，１０１’，１０１”：磁流式低温分解装置、１７０，１７０’，１７０”：操作部、１９０：ルータ、
２００：通信回線、
３００：クラウドサーバ、３１０：サーバ記憶部、３２０：予測構築部
【要約】
【課題】ダイオキシンの発生を抑え、最適に管理できる磁流式低温分解装置を提供する。
【解決手段】磁流式低温分解装置１は、空気を磁気化する磁力ボックス２０と、磁気化した空気で有機物を低酸素状態で低温分解する処理室３０と、排気ガスを処理するスクラバ５０と、を有する分解装置本体１０を備える。スクラバ５０は、スクラバ５０内の臭い及び煙粒子を検知する第１の検知部３５を有し、処理室３０は、処理室３０内の温度を検知する第２の検知部２９を有する。磁流式低温分解装置１は、第１の検知部３５から取得した第１のデータ及び第２の検知部２９から取得した第２のデータに基いて処理室３０の反応を予測する予測部８４を有する操作部７０を更に備える。
【選択図】図１【図１】
0006821164.tif 000004
【図２】
0006821164.tif 000005
【図３】
0006821164.tif 000006
【図４】
0006821164.tif 000007
【図５】
0006821164.tif 000008
【図６】
0006821164.tif 000009
【図７】
0006821164.tif 000010
【図８】
0006821164.tif 000011
【図９】
0006821164.tif 000012